(57)【要約】【課題】  車両の画像表示装置において、後部座席の乗員にとってディスプレイが見やすくなり、ディスプレイに娯楽用の画像が適切に表示されるように構成する。【解決手段】  運転席１と助手席５との間にアームレスト１３を備えて、前向きに倒した使用姿勢及び起立した非使用姿勢に、アームレスト１３を後部の横軸芯Ｐ１周りに姿勢変更自在に構成する。アームレスト１３の肘のせ部側にディスプレイ１８を備えて、アームレスト１３が使用姿勢側に操作されると、ディスプレイ１８に娯楽用の画像を表示不可な状態が設定され、アームレスト１８が非使用姿勢側に操作されると、ディスプレイ１８に娯楽用の画像を表示可能な状態が設定される。【選択図】        図２
2006224905.tif 000002
【特許請求の範囲】
【請求項１】
運転席と助手席との間にアームレストを備えて、
前向きに倒した使用姿勢及び起立した非使用姿勢に、前記アームレストを後部の横軸芯周りに姿勢変更自在に構成すると共に、
前記アームレストの肘のせ部側にディスプレイを備え、
前記アームレストが使用姿勢側に操作されると、前記ディスプレイに娯楽用の画像を表示不可な状態が設定され、前記アームレストが非使用姿勢側に操作されると、前記ディスプレイに娯楽用の画像を表示可能な状態が設定されるように構成してある車両の画像表示装置。
【請求項２】
前記アームレストが使用姿勢側に操作されると、前記ディスプレイに機器操作用の画像を表示可能で娯楽用の画像を表示不可な状態が設定され、前記アームレストが非使用姿勢側に操作されると、前記ディスプレイに機器操作用の画像及び娯楽用の画像を表示可能な状態が設定されるように構成してある請求項１に記載の車両の画像表示装置。
【発明の詳細な説明】
【技術分野】
【０００１】
本発明は、乗用車や商用車、ミニバン等の車両において備えられるディスプレイの画像表示に関する。
【背景技術】
【０００２】
乗用車においては例えば特許文献１に開示されているように、後部座席のアームレストにディスプレイを備えたものがある。これにより、ディスプレイに娯楽用の画像（例えばテレビチューナーからの番組画像やＤＶＤプレイヤーからの映画画像、ゲーム機器からのゲーム画像等）を表示することにより、後部座席の乗員が楽しむことができる。
【０００３】
【特許文献１】実開平２−１６６７４号公報（第４図）
【発明の開示】
【発明が解決しようとする課題】
【０００４】
特許文献１では、前向きに倒した使用姿勢及び起立させて後部座席の背もたれ部に入り込ませた非使用姿勢に、アームレストを姿勢変更自在に構成しており、アームレストを使用姿勢に操作した状態で後部座席の乗員がディスプレイを見る。
この場合、アームレストを使用姿勢に操作すると、後部座席の乗員にとってアームレスト（ディスプレイ）が、比較的低い位置（後部座席の乗員の肘の高さ）に位置することになるので、アームレストを使用姿勢に操作した状態で後部座席の乗員がディスプレイを見下ろすような状態となり、後部座席の乗員にとってディスプレイが見にくくなるようなことがある。
本発明は車両の画像表示装置において、後部座席の乗員にとってディスプレイが見やすくなるように、且つ、ディスプレイに娯楽用の画像が適切に表示されるように構成することを目的としている。
【課題を解決するための手段】
【０００５】
［Ｉ］
（構成）
本発明の第１特徴は、車両の画像表示装置において次のように構成することにある。
運転席と助手席との間にアームレストを備えて、前向きに倒した使用姿勢及び起立した非使用姿勢に、アームレストを後部の横軸芯周りに姿勢変更自在に構成する。アームレストの肘のせ部側にディスプレイを備える。アームレストが使用姿勢側に操作されると、ディスプレイに娯楽用の画像を表示不可な状態が設定され、アームレストが非使用姿勢側に操作されると、ディスプレイに娯楽用の画像を表示可能な状態が設定されるように構成する。
【０００６】
（作用）
本発明の第１特徴によると、運転席と助手席との間にアームレストを備えており、アームレストの肘のせ部側にディスプレイを備えている。この場合、アームレストを前向きに倒した使用姿勢に操作すると、ディスプレイは比較的低い位置（運転席及び助手席の乗員の肘の高さ）に位置して上方を向くことになるのであり、アームレストを起立した非使用姿勢に操作すると、ディスプレイは比較的高い位置に位置して後方（後部座席側）に向くことになる。
これにより、本発明の第１特徴によれば、アームレストを非使用姿勢に操作すると、ディスプレイが比較的高い位置に位置して後方（後部座席側）に向くことになり、後部座席の乗員の目の高さにディスプレイが比較的近くなるので、後部座席の乗員がディスプレイを見下ろすような状態にはならない。
【０００７】
本発明の第１特徴によると、運転席と助手席との間にアームレストを備えて、アームレストの肘のせ部側にディスプレイを備えているので、ディスプレイ（アームレスト）が車室の略左右中央に位置する状態となる。これにより、アームレストを非使用姿勢に操作して、後部座席の乗員がディスプレイを見る場合、ディスプレイが車室の略左右中央で比較的高い位置に位置することになるので、後部座席の右又は左の一方の乗員にとってディスプレイが遠くて見にくくなると言うような状態は生じない。
【０００８】
ディスプレイに娯楽用の画像（例えばテレビチューナーからの番組画像やＤＶＤプレイヤーからの映画画像、ゲーム機器からのゲーム画像等）を表示する場合、本発明の第１特徴によると、アームレストが使用姿勢側に操作されると、ディスプレイに娯楽用の画像を表示不可な状態が設定され、アームレストが非使用姿勢側に操作されると、ディスプレイに娯楽用の画像を表示可能な状態が設定されるように構成されている。
これにより、本発明の第１特徴によると、アームレストを非使用姿勢に操作することにより、ディスプレイに娯楽用の画像を表示可能な状態が設定されるので、後部座席の乗員はディスプレイの娯楽用の画像を見ることができる。アームレストを使用姿勢に操作した場合、運転席の乗員がディスプレイを見ることができるが、アームレストを使用姿勢に操作すると、ディスプレイに娯楽用の画像を表示不可な状態が設定されるので、運転席の乗員はディスプレイの娯楽用の画像を見ることができない。
【０００９】
（発明の効果）
本発明の第１特徴によると、車両の画像表示装置において、アームレストを非使用姿勢に操作することにより、ディスプレイが車室の略左右中央で比較的高い位置に位置するようになって、後部座席の乗員がディスプレイを見下ろすような状態にはならない点、並びに後部座席の右又は左の一方の乗員にとってディスプレイが遠くて見にくくなると言うような状態が生じない点によって、後部座席の乗員にとってディスプレイが見やすくなり、後部座席の快適性を向上させることができた。
【００１０】
本発明の第１特徴によると、アームレストを非使用姿勢に操作した場合、後部座席の乗員がディスプレイの娯楽用の画像を見ることができ、アームレストを使用姿勢に操作した場合、運転席の乗員がディスプレイの娯楽用の画像を見ることができないことにより、アームレスト（ディスプレイ）の姿勢に応じて、ディスプレイに娯楽用の画像を適切に表示することができた。
【００１１】
［ＩＩ］
（構成）
本発明の第２特徴は、本発明の第１特徴の車両の画像表示装置において次のように構成することにある。
アームレストが使用姿勢側に操作されると、ディスプレイに機器操作用の画像を表示可能で娯楽用の画像を表示不可な状態が設定され、アームレストが非使用姿勢側に操作されると、ディスプレイに機器操作用の画像及び娯楽用の画像を表示可能な状態が設定されるように構成する。
【００１２】
（作用）
本発明の第２特徴によると、本発明の第１特徴と同様に前項［Ｉ］に記載の「作用」を備えており、これに加えて以下のような「作用」を備えている。
ディスプレイでは娯楽用の画像ばかりではなく、機器操作用の画像（例えばエアコンを手動操作する為の操作ボタンの画像や、カーナビゲーションを設定操作する為の操作ボタンの画像等）を表示することがある。
【００１３】
この場合に、本発明の第２特徴によれば、アームレストを使用姿勢に操作すると、ディスプレイに機器操作用の画像を表示可能で娯楽用の画像を表示不可な状態が設定されるので、運転席の乗員はディスプレイの機器操作用の画像により所望の操作を行うことができる。アームレストを非使用姿勢に操作すると、ディスプレイに機器操作用の画像及び娯楽用の画像を表示可能な状態が設定されるので、後部座席の乗員はディスプレイの娯楽用の画像を見ることができるのに加えて、ディスプレイの機器操作用の画像により所望の操作を行うことができる。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、運転席の乗員がディスプレイの機器操作用の画像により所望の操作を行うことができる点、並びに、後部座席の乗員がディスプレイの娯楽用の画像を見ることができ、ディスプレイの機器操作用の画像により所望の操作を行うことができる点により、ディスプレイの機能性を高めることができた。
【発明を実施するための最良の形態】
【００１５】
図１（イ）（ロ）及び図２は、乗用車の運転席１及び助手席５、後部座席９を示しており、運転席１及び助手席５、後部座席９は座部２，６，１０、背もたれ部３，７，１１及びヘッドレスト４，８，１２により構成されている。運転席１及び助手席５の座部２，６は互いに接するように配置され、運転席１及び助手席５の背もたれ部３，７が互いに少し離れるように配置されており、運転席１及び助手席５は各々独立に車体の前後方向にスライドさせて位置を変更することができる。
【００１６】
図１（イ）（ロ）及び図２に示すように、運転席１及び助手席５の背もたれ部３，７の間において、運転席１の背もたれ部３の横側部に、アームレスト１３が取り付けられている。前向きに倒した使用姿勢、及び運転部１又は助手席５の背もたれ部３，７に沿って起立した非使用姿勢に、アームレスト１３が後部の横軸芯Ｐ１周りに姿勢変更自在に構成されており、アームレスト１３は使用姿勢及び非使用姿勢の間の任意の姿勢にも位置させておくことができる。
【００１７】
図３及び図４（イ）（ロ）に示すように、アームレスト１３は本体１４、本体１４の上面側（肘のせ部側）に形成された凹部状の物入れ部１５、物入れ部１５を覆う蓋部１６（肘のせ部に相当）等を備えて構成されている。アームレスト１３の蓋部１６の前部（横軸芯Ｐ１から遠い側）に開口部１６ａが設けられて、アームレスト１３の蓋部１６に表皮１６ｂが貼り付けられており、アームレスト１３の本体１４の前後軸芯Ｐ２周りに、アームレスト１３の蓋部１６が開閉自在に支持されている。
【００１８】
図３及び図４（イ）（ロ）に示すように、アームレスト１３の物入れ部１５の前部（横軸芯Ｐ１から遠い側）に、立方体形状の支持部１７が固定されており、支持部１７の上面に液晶画面のディスプレイ１８及び操作スイッチパネル１９が固定されている。この乗用車ではテレビチューナー（図示せず）、及びカーナビゲーションシステム（図示せず）が搭載されており、テレビチューナーからの番組画像やカーナビゲーションシステムからの画像が、後述するようにディスプレイ１８に表示される。
【００１９】
図３及び図４（イ）に示すように、アームレスト１３の蓋部１６を閉じ位置に操作すると、アームレスト１３の蓋部１６の開口部１６ａにディスプレイ１８が対向しており、アームレスト１３の蓋部１６により操作スイッチパネル１９が覆われて、操作スイッチパネル１９の操作スイッチを操作することができない。図４（ロ）に示すように、アームレスト１３の蓋部１６を開き位置に操作すると、操作スイッチパネル１９の操作スイッチを操作することができる。後述するように、操作スイッチパネル１９の操作スイッチにより、ディスプレイ１８にテレビチューナーからの番組画像が表示される状態、カーナビゲーションシステムからの画像が表示される状態、及びエアコン（図示せず）を手動操作する為の操作ボタンの画像が表示される状態を選択することができる。
【００２０】
以上の構造により、図１（イ）（ロ）に示すように、アームレスト１３を使用姿勢に操作すると、ディスプレイ１８は比較的低い位置（運転席１及び助手席５の乗員の肘の高さ）に位置して上方を向くことになる。これによって、運転席１及び助手席５の乗員がディスプレイ１８を見下ろすような状態となり、後部座席９の乗員はディスプレイ１８を見ることができない状態となる。
【００２１】
図１（イ）に示すように、アームレスト１３を使用姿勢に操作した状態において（使用姿勢及び非使用姿勢の間に中間姿勢が設定されており、アームレスト１３が中間姿勢を越えて使用姿勢側に操作された状態）、運転席１及び助手席５の乗員がアームレスト１３の蓋部１６を開き位置に操作して、操作スイッチパネル１９の操作スイッチを操作することにより、ディスプレイ１８にカーナビゲーションシステムからの画像が表示される状態、及びエアコンを手動操作する為の操作ボタンの画像が表示される状態を選択することができる。この後、アームレスト１３の蓋部１６を閉じ位置に操作することにより、アームレスト１３を通常どおりに使用することができる。
【００２２】
これにより、ディスプレイ１８にカーナビゲーションシステムからの画像が表示される状態において、ディスプレイ１８に表示される操作ボタンの画像及び操作スイッチパネル１９の操作スイッチにより、カーナビゲーションの各種の操作等を行うことができる。ディスプレイ１８にエアコンを手動操作する為の操作ボタンの画像が表示される状態において、ディスプレイ１８に表示される操作ボタンの画像により、エアコンの手動操作を行うことができる。
【００２３】
この場合、ディスプレイ１８にテレビチューナーからの番組画像が表示される状態を選択しても、ディスプレイ１８にテレビチューナーからの番組画像は表示されずに、テレビチャンネルの設定の操作ボタンの画像が表示され、テレビチューナーからの番組音声が出てくるのであり、ディスプレイ１８に表示されるテレビチャンネルの設定の操作ボタンの画像により、テレビチャンネルの設定操作を行うことができる（以上、ディスプレイ１８に機器操作用の画像を表示可能で娯楽用の画像を表示不可な状態に相当）。
【００２４】
図２に示すように、アームレスト１３を非使用姿勢に操作すると、ディスプレイ１８は比較的高い位置に位置して後方（後部座席９側）に向くことになる。これにより、ディスプレイ１８が車室の略左右中央で比較的高い位置に位置して後方（後部座席９側）に向くことになり、後部座席９の乗員の目の高さにディスプレイ１８が比較的近くなるので、後部座席９の乗員がディスプレイ１８を見下ろすような状態にはならず、後部座席９の右又は左の一方の乗員にとってディスプレイ１８が遠くて見にくくなると言うような状態は生じない。この場合、運転席１及び助手席５の乗員はディスプレイ１８を見ることができない状態となる。
【００２５】
図２に示すように、アームレスト１３を非使用姿勢に操作した状態において（使用姿勢及び非使用姿勢の間に中間姿勢が設定されており、アームレスト１３が中間姿勢を越えて非使用姿勢側に操作された状態）、後部座席９の乗員がアームレスト１３の蓋部１６を開き位置に操作して、操作スイッチパネル１９の操作スイッチを操作することにより、ディスプレイ１８にカーナビゲーションシステムからの画像が表示される状態、エアコンを手動操作する為の操作ボタンの画像が表示される状態、及びテレビチューナーからの番組画像が表示される状態を選択することができる。
【００２６】
これによって、ディスプレイ１８にカーナビゲーションシステムからの画像が表示される状態において、ディスプレイ１８に表示される操作ボタンの画像及び操作スイッチパネル１９の操作スイッチにより、カーナビゲーションの各種の操作等を行うことができる。ディスプレイ１８にエアコンを手動操作する為の操作ボタンの画像が表示される状態において、ディスプレイ１８に表示される操作ボタンの画像により、エアコンの手動操作を行うことができる。ディスプレイ１８にテレビチューナーからの番組画像が表示される状態において（ディスプレイ１８にテレビチューナーからの番組画像が表示されて、テレビチューナーからの番組音声が出てくる状態）、ディスプレイ１８に表示されるテレビチャンネルの設定の操作ボタンの画像により、テレビチャンネルの設定操作を行うことができる（以上、ディスプレイ１８に機器操作用の画像及び娯楽用の画像を表示可能な状態に相当）。
【００２７】
図２に示すように、アームレスト１３を非使用姿勢に操作した状態において、車室に入る光がディスプレイ１８に映って、後部座席９の乗員にとってディスプレイ１８が見にくくなる場合、非使用姿勢でのアームレスト１３の姿勢を横軸芯Ｐ１周りに少し変更して、ディスプレイ１８の姿勢を少し変更することにより、後部座席９の乗員にとってディスプレイ１８が見やすくなるようにすることができる。
【００２８】
［発明の実施の第１別形態］
前述の［発明を実施するための最良の形態］において、ＤＶＤプレイヤー（図示せず）やゲーム機器（図示せず）を搭載して、ディスプレイ１８にテレビチューナーからの番組画像が表示される状態に加えて、ＤＶＤプレイヤーからの映画画像やゲーム機器からのゲーム画像がディスプレイ１８に表示されるように構成してもよい。
この場合、アームレスト１３を使用姿勢に操作すると、ＤＶＤプレイヤーからの映画画像やゲーム機器からのゲーム画像はディスプレイ１８に表示されず、ＤＶＤプレイヤーからの映画音声やゲーム機器からのゲーム音声が出てくるのであり、アームレスト１３を非使用姿勢に操作すると、ＤＶＤプレイヤーからの映画画像やゲーム機器からのゲーム画像がディスプレイ１８に表示され、ＤＶＤプレイヤーからの映画音声やゲーム機器からのゲーム音声が出てくる。
【００２９】
［発明の実施の第２別形態］
前述の［発明を実施するための最良の形態］［発明の実施の第１別形態］において、アームレスト１３に対してディスプレイ１８の姿勢を左右方向（前後軸芯Ｐ２と平行な軸芯周り）に変更できるように構成してもよい。
【００３０】
［発明の実施の第３別形態］
前述の［発明を実施するための最良の形態］［発明の実施の第１別形態］［発明の実施の第２別形態］において、ア  運転席１及び助手席５の背もたれ部３，７の間において、助手席５の背もたれ部７の横側部にアームレスト１３を取り付け、アームレスト１３を後部の横軸芯Ｐ１周りに姿勢変更自在に構成してもよい。アームレスト１３を運手席１及び助手席５の背もたれ部３，７に取り付けるのではなく、運転席１及び助手席５の座部２，６の間に備えて、アームレスト１３を後部の横軸芯Ｐ１周りに姿勢変更自在に構成してもよい。
【００３１】
［発明の実施の第４別形態］
前述の［発明を実施するための最良の形態］［発明の実施の第１別形態］〜［発明の実施の第３別形態］において、使用姿勢及び非使用姿勢の間に中間姿勢を設定し、アームレスト１３が中間姿勢を越えて使用姿勢側に操作される状態、及びアームレスト１３が中間姿勢を越えて非使用姿勢側に操作される状態を判別する場合に、前述の中間姿勢を少し使用姿勢側に変更したり、非使用姿勢側に変更したりすることができるように構成してもよい。
【図面の簡単な説明】
【００３２】
【図１】（イ）アームレストを使用姿勢に操作して、アームレストの蓋部を開き位置に操作している状態での運転席及び助手席、アームレスト及びディスプレイの付近の斜視図、（ロ）アームレストを使用姿勢に操作して、アームレストの蓋部を閉じ位置に操作している状態での運転席及び助手席、アームレスト及びディスプレイの付近の斜視図
【図２】アームレストを使用姿勢に操作して、アームレストの蓋部を閉じ位置に操作している状態での運転席及び助手席、アームレスト及びディスプレイ、後部座席の付近の斜視図
【図３】アームレストの付近の縦断側面図
【図４】（イ）アームレストの蓋部を閉じ位置に操作している状態でのアームレスト及びディスプレイの付近の平面図、（ロ）アームレストの蓋部を開き位置に操作している状態でのアームレスト及びディスプレイの付近の平面図
【符号の説明】
【００３３】
１    運転席
５    助手席
１３  アームレスト
１８  ディスプレイ
Ｐ１  横軸芯
【図１】
2006224905.tif 000003
【図２】
2006224905.tif 000004
【図３】
2006224905.tif 000005
【図４】
2006224905.tif 000006